Podtech/llm-jp-corpus-v4-ja_patent huggingface dataset:
(57)【要約】      （修正有）【課題】水力発電機に給水管を通すことにより、給水・給湯の水圧が下がる。【解決手段】新築の場合、給湯器に水力発電機を設置させ、全給水管を給湯器に通す。蛇口を回し、水・湯を出すことにおいて水道管の水圧により、給湯器の水力発電機において電気を発生させる。給湯器既設の場合、給湯器に水力発電機を設置させ、蛇口を回し湯を出す時に限り、水道管の水圧により、給湯器の水力発電機において電気を発生させる。【選択図】図１
2009281715.tif 000002
【特許請求の範囲】
【請求項１】
・給湯器
（１）給湯器について
【発明の詳細な説明】
【技術分野】機械工業
【発明の効果】
〔各家庭・マンション・ビル等に設置してある給水管の水圧を用いて、水力発電させ発生した電気を使用し、節電させるもの〕
【発明を実施するための最良の形態】〔給湯器に水力発電機を装置し、全給水管を給湯器に通し水力発電させる〕
【図面の簡単な説明】〔１．新築の場合
給湯器に水力発電機を設置させ、全給水管を給湯器に通す。蛇口を回し、水・湯を出すことにおいて水道管の水圧により、給湯器の水力発電機において電気を発生させる。
２．給湯器既設の場合
給湯器に水力発電機を設置させ、蛇口を回し湯を出す時に限り、水道管の水圧により、給湯器の水力発電機において電気を発生させる。〕
【図１】「新築の場合の施工方法を示した平面図である。」
【図２】「給湯器既設の場合の施工方法を示した平面図である。」
【図１】
2009281715.tif 000003
【図２】
2009281715.tif 000004
(57)【要約】【課題】反射した太陽光が一点に集中することのなく、反射光がリング状に拡散する太陽熱利用加熱器を提供する。【解決手段】太陽熱利用加熱器は、放物線の中心線から所定長オフセットしており、かつその中心線と平行な線を回転中心とする曲率面とした反射面を備える。調理器受け台を備え、その幅は前記オフセットの値の２倍より大きく設定されている。【選択図】図２
2009281713.tif 000002
【特許請求の範囲】
【請求項１】
放物線の中心線から所定長オフセットしており、かつその中心線と平行な線を回転中心とする曲率面とした反射面を備えた太陽熱利用加熱器。
【請求項２】
調理器受け台を備え、その幅は上記オフセットの値の２倍より大きく設定されていることを特徴とする請求項１記載の太陽熱利用加熱器。
【発明の詳細な説明】
【技術分野】
【０００１】  本発明は太陽熱を利用した加熱器に関する。
【背景技術】
【０００２】  従来技術として、反射面を放物面として太陽光を１点に集中させる太陽集熱器が知られている（例えば特許文献１。）。
【特許文献１】  特開２００７−１０１６７
【発明の開示】
【発明が解決しようとする課題】
【０００３】  従来の太陽熱利用加熱器の反射面は、図２に示すごとくその放物面の焦点が一点に集中するため火災発生の原因または、失明の原因になり危険である。
【課題を解決するための手段】
【０００４】  本発明の太陽熱利用加熱器は、放物線の中心線から所定長オフセットしており、かつその中心線と平行な線を回転中心とする曲率面とした反射面を備えている。また、調理器受け台を備え、その幅は前記オフセットの値の２倍より大きく設定されている。
【発明の効果】
【０００５】  焦点が一点に集中せず、リング状に拡散するため安全である。
【発明を実施するための最良の形態】
【０００６】  図１に示すごとくスタンド１に反射器２が緯度、経度方向に向きが変えられるように取り付けられている。符号３は鍋などを載せる調理器受け台である。図３に示すごとく反射器２の反射面４は放物線の中心線５から所定長オフセット６しており、かつその中心線５と平行な線７を回転中心とする曲率面となっている。【０００７】  領域ＡおよびＢは放物線となっている。
調理器受け台３の幅８は、上記オフセットの値の２倍より大きく設定されている。【０００８】  以上に記載したごとく、本発明による反射器２の反射面４によれば集光領域はリング状９になり、従来のごとく１点に集光することはない。そのため火災の発生、失明、やけどの原因となりにくい。
【図面の簡単な説明】
【０００９】
【図１】本発明の太陽熱利用加熱器の斜視図
【図２】従来の反射器の反射面を示す中央断面図
【図３】本発明による反射面を示す中央断面図
【符号の説明】
【００１０】２  反射器
３  調理器受け台
４  反射面
６  オフセット
【図１】
2009281713.tif 000003
【図２】
2009281713.tif 000004
【図３】
2009281713.tif 000005
(57)【要約】【課題】  電球形蛍光ランプを机等の平らな面に置いた場合、不安定なため転がって落下し破損する可能性がある。特に電球形蛍光ランプの交換時は、高所での作業が発生するため照明器具に取り付け、あるいは取り外した電球形蛍光ランプを一時安定した状態で置いておく場合がある。【解決手段】  放電管をグローブで覆った形状の電球形蛍光ランプにおいて、グローブ表面の一部に一または複数個の平面部を設ける。この一または複数個の平面部は、転がり防止手段として設けられる。【選択図】  図１
2009135120.tif 000002
【特許請求の範囲】
【請求項１】
放電管をグローブで覆った形状の電球形蛍光ランプにおいて、グローブ表面の一部に一または複数個の平面部を設けたことを特徴とする電球形蛍光ランプ。
【請求項２】
前記一または複数個の平面部が、転がり防止手段として設けられたものであることを特徴とする請求項１記載の電球形蛍光ランプ。
【発明の詳細な説明】
【技術分野】
【０００１】
本発明は、放電管をグローブで覆った形状の電球形蛍光ランプの構造に関する。
【背景技術】
【０００２】
一般に数本からなる放電管をグローブで覆った形状の電球形蛍光ランプのグローブは、形状を一般電球に近付けるために球形状となっている。
【先行技術文献】
【特許文献】
【０００３】
【特許文献１】特開２００２−２９８６０８号公報
【発明の概要】
【発明が解決しようとする課題】
【０００４】
このため、電球形蛍光ランプを机等の平らな面に置いた場合、不安定なため転がって落下し破損する可能性がある。特に電球形蛍光ランプの交換時は、高所での作業が発生するため照明器具に取り付け、あるいは取り外した電球形蛍光ランプを一時安定した状態で置いておく場合がある。
【課題を解決するための手段】
【０００５】
本発明に係る数本からなる放電管をグローブで覆った形状の電球形蛍光ランプの構造は、グローブ表面の一部ないし複数部に平面部または凹面部を設ける。これにより、電球形蛍光ランプを平らな面に置いた場合、グローブ表面に設けた平面部または凹面部により安定して静止状態を保持できる。
【発明の効果】
【０００６】
後述する実施例から明らかなように、本発明に係るグローブ側面の一部分に平面部または凹面部を設けた電球形蛍光ランプの構造にすることで、電球形蛍光ランプを照明器具に取り付ける作業前、および照明器具から取り外す作業後等の電球形蛍光ランプを一時安定して置いておく場合に、転がって破損することを防止できる。
【図面の簡単な説明】
【０００７】
【図１】グローブ平面部を設けた電球形蛍光ランプの側面図の一例図である。
【図２】グローブ平面部を設けた電球形蛍光ランプの正面図の一例図である。
【図３】グローブ平面部を設けた電球形蛍光ランプの安定静止状態の一例図である。
【図４】複数のグローブ平面部を設けた電球形蛍光ランプの一例図である。
【発明を実施するための形態】
【０００８】
本発明に係る数本からなる放電管をグローブで覆った形状の電球形蛍光ランプにおける構造の実施形態につき、その実施例を挙げて、添付図面を参照しながら以下詳細に説明する。図１は、グローブ側面の一部分に平面部を設けた電球形蛍光ランプの一例図である。図１において、参照符号１はグローブ、２はグローブ平面部、３は回路内蔵ハウジングソケット、４は口金である。図１に示すような電球形蛍光ランプは、グローブに設けた平面部を下にして置くことにより、安定して静止状態を保持することができ、転がることを防止できる。
図２は、グローブ側面の一部分に楕円形状の平面部を設けた電球形蛍光ランプの一例図である。グローブ表面に設ける平面部または凹面部は多角形状でもよい。
図３は、グローブ側面の一部分に平面部を設けた電球形蛍光ランプの安定静止状態の一例図である。図３において、参照符号５は、平面台である。グローブ側面の一部分に設けた平面部を下にして平面台に置くことにより、転がり防止を実現できる。
図４は、グローブ側面に楕円形状の平面部を複数設けた電球形蛍光ランプの一例図である。図４において、参照符号６、７、８は、それぞれ複数のグローブ平面部である。
【符号の説明】
【０００９】
１・・・グローブ
２・・・グローブ平面部
３・・・回路内蔵ハウジングソケット
４・・・口金
５・・・平面台
６・・・グローブ平面部
７・・・グローブ平面部
８・・・グローブ平面部
【図１】
2009135120.tif 000003
【図２】
2009135120.tif 000004
【図３】
2009135120.tif 000005
【図４】
2009135120.tif 000006
(57)【要約】【課題】エンクロージャー内部の定在波の発生を押さえる。【解決の手段】音響反射板をエンクロージャー内部に設置し、対抗する平行面を減少させることで、定在波の発生を押さえる。【選択図】図２
2009135861.tif 000002
【特許請求の範囲】
【請求項１】
定在波の発生を抑える複数の音響反射板を内部に設けたことを特徴とするエンクロージャー。
【請求項２】
音響反射板を設けることでエンクロージャー内部に対抗する平行面を減少させることを特徴とする請求項１に記載のエンクロージャー。
【発明の詳細な説明】
【技術分野】
【０００１】  この発明は、エンクロージャー内部に音響反射板を取り付けることで定在波の発生を抑えるエンクロージャーに関するものである。
【背景技術】
【０００２】  従来のエンクロージャーは定在波を消音材や吸音材で除去するか。またはエンクロージャーの形状を変形させ、平行面が存在しないように組み立てられたものがあった。
【発明の開示】
【発明が解決しようとしている課題】
【０００３】  従来は発生した定在波を消音材や吸音材を使用して除去しようとしていたが、３０Ｈｚ〜１ｋＨｚの中・低音域は除去できなかった。そのため鮮明な音の再生が難しかった。また、エンクロージャーの形状を平行面の少ない不定形としたものがあったが、強度に問題があったり、製造が難しいという問題があった。
【課題を解決するための手段】
【０００４】  エンクロージャーの内部に定在波の発生を抑える音響反射板を設ける。本発明は、以上の構成によりなる音響反射板つきエンクロージャーである。
【発明の効果】
【０００５】  エンクロージャー内部に平行面が無くなる為、定在波の発生を押さえることができる。また、エンクロージャー自体の強度を上げることができる。
【発明を実施する為の最良の形態】
【０００６】  以下、本発明を実施する最良の形態について説明する。
展開された、図１斜視図のとおり、エンクロージャー内部に音響反射板１を設ける。組み立てた内部はエンクロージャーのスピーカー面を外した、図２俯瞰図のような形状となる。本発明は、以上のような構造である。この音響反射板によってエンクロージャー内部には平行面が無く、定在波を発生させる確率が下がる為、明快な音を再生させることができる。図３側面図はスピーカーを取り付けた完成した側面透視図である。他の実施例として、図４は後方解放のバスレフ型の展開された斜視図であり、図５はバスレフ型のスピーカー面を外した俯瞰図である。図６はバスレフ型の完成された側面透視図である。その他にバックロードホーン型の空気室や音道（音の通る道の意）等、現存する基本的なエンクロージャーに利用することができる。
【図面の簡単な説明】
【０００７】
【図１】本発明の展開した斜視図である。
【図２】本発明の俯瞰図である。
【図３】本発明の完成した側面透視図
【図４】本発明を応用したバスレフ型の展開された斜視図
【図５】本発明を応用したバスレフ型の完成された側面透視図
【符号の説明】
【０００８】    １  反射板
２  スピーカー取り付け穴
３  スピーカー
４  バスレフ用パイプ
【図１】
2009135861.tif 000003
【図２】
2009135861.tif 000004
【図３】
2009135861.tif 000005
【図４】
2009135861.tif 000006
【図５】
2009135861.tif 000007
【図６】
2009135861.tif 000008
【手続補正書】
【提出日】平成20年2月7日(2008.2.7)
【手続補正１】
【補正対象書類名】明細書
【補正対象項目名】０００７
【補正方法】変更
【補正の内容】
【０００７】
【図１】本発明の展開した斜視図である。
【図２】本発明の俯瞰図である。
【図３】本発明の側面透視図である。
【図４】本発明を応用したバスレフ型の展開された斜視図である。
【図５】本発明を応用したバスレフ型の俯瞰図である。
【図６】本発明を応用したバスレフ型の側面透視図である。
(57)【要約】【課題】スクリュプレスの原料搬送の過程において脱水効率を高める。【解決手段】脱水すべき含水原料を入口部１２から濾過筒８内に投入すると、含水原料はスクリュ羽根６によって搬送される際に生ずる抵抗により機械的な脱水作用を受ける。原料はその進行に伴い圧搾されて水分が分離され、濾過筒８の濾過孔から漏出する。スクリュ羽根６には１／１０〜１ピッチ分程度切欠した切欠部６ａが設けられており、この切欠部６ａにおいて原料の搬送が一時的に停滞し、後方から押し込まれる原料によって、前方からの圧力に打ち勝たなければ前方に進むことはない。この切欠部６ａで原料の圧力は高まり、濾過筒８の濾過孔からの漏水が、他の部分の濾過孔よりも多くなり、全体的な脱水効率が向上する。【選択図】図１
2009142875.tif 000002
【特許請求の範囲】
【請求項１】
駆動手段により回転するスクリュ軸と、該スクリュ軸の外周に螺旋状に巻回したスクリュ羽根と、該スクリュ羽根を囲む円筒状の濾過筒とから成り、該濾過筒の両端部に入口部と出口部を設け、前記スクリュ軸と前記スクリュ羽根と前記濾過筒によって囲んだ空間部を前記入口部から前記出口部に向けて減少させ、前記入口部から投入した含水原料を圧搾脱水して前記出口部から脱水ケーキとして排出するスクリュプレスにおいて、前記スクリュ羽根の螺旋状の連結を切欠した少くとも１個所の切欠部を設けたことを特徴とするスクリュプレス。
【請求項２】
前記切欠部は前記スクリュ羽根の１／１０〜１ピッチ分としたことを特徴とする請求項１に記載のスクリュプレス。
【発明の詳細な説明】
【技術分野】
【０００１】
本発明は、例えば魚粕、パルプ、汚泥のような大量の水分を含む含水原料から水分を分離するために用いられるスクリュプレスに関するものである。
【背景技術】
【０００２】
従来のスクリュプレスにおいては、内部の回転スクリュと円筒状に構成した濾過筒とを相対的に回転させながら、濾過筒の入口部から水分を大量に含んだ含水原料を投入する。そして、濾過筒の濾過孔を介して水分を圧搾脱水した後に、脱水された残りの原料は脱水ケーキとして、出口部から排出するようにしたものが一般的である。
【発明の開示】
【発明が解決しようとする課題】
【０００３】
しかし、原料の種類によっては十分な圧搾力を与えることができず、脱水効率が十分に得られないことがある。
【０００４】
本発明の目的は、上述の課題を解消し、簡便な機構により脱水効率を向上させ得るスクリュプレスを提供することにある。
【課題を解決するための手段】
【０００５】
上述の目的を達成するための本発明に係るスクリュプレスは、駆動手段により回転するスクリュ軸と、該スクリュ軸の外周に螺旋状に巻回したスクリュ羽根と、該スクリュ羽根を囲む円筒状の濾過筒とから成り、該濾過筒の両端部に入口部と出口部を設け、前記スクリュ軸と前記スクリュ羽根と前記濾過筒によって囲んだ空間部を前記入口部から前記出口部に向けて減少させ、前記入口部から投入した含水原料を圧搾脱水して前記出口部から脱水ケーキとして排出するスクリュプレスにおいて、前記スクリュ羽根の螺旋状の連結を切欠した少くとも１個所の切欠部を設けたことを特徴とする。
【発明の効果】
【０００６】
本発明に係るスクリュプレスは、脱水すべき原料の搬送過程において、搬送を中断するためにスクリュ羽根に切欠部を設けたので、この切欠部における圧搾力が向上し、全体の脱水効率を高めることができる。
【発明を実施するための最良の形態】
【０００７】
本発明を図示の実施例に基づいて詳細に説明する。
図１は実施例のスクリュプレスの縦断面図であり、左右の支持台１、２には軸受３、４が設けられ、これらの軸受３、４にはスクリュ軸５が回転自在に支持されている。スクリュ軸５は下流側に進むにつれ太くなるテーパ状とされ、スクリュ軸５の周囲にスクリュ羽根６が螺旋状に巻回されている。なお、スクリュ軸５を等径とし、スクリュ羽根６は左方の下流側に進むにつれ、小さくなるピッチでスクリュ軸５に取り付けてもよい。
【０００８】
スクリュ軸５の例えば左端側にはスプロケット７が取り付けられ、このスプロケット７は図示しない駆動モータにチェーンを介して連結されている。なお、スプロケット７を介さずに、駆動モータをスクリュ軸５に直結することもできる。
【０００９】
スクリュ羽根６の外方には、多数の濾過孔を有する例えばパンチングメタルから成る円筒状の濾過筒８が固定的に設けられ、多数の補強環９により補強されている。スクリュ羽根６の外周は濾過筒８の内周にほぼ接しており、濾過筒８の上流側、下流側にはそれぞれ側板１０、１１が設けられ、スクリュ軸５はこれらの側板１０、１１を貫通している。
【００１０】
スクリュ羽根６には、その中間部において、１／１０〜１ピッチ分程度切欠した切欠部６ａが設けられている。また、濾過筒８の両端部に、原料の入口部１２と脱水ケーキの出口部１３が設けられ、濾過筒８の下方には搾液受皿１４が設けられている。
【００１１】
更に、出口部１３付近には、搬送された原料の圧縮程度を調整するためのテーパコーン１５がシリンダ１６によりスクリュ軸５の長手方向に移動自在とされ、調整機構として設けられている。
【００１２】
脱水すべき含水原料を入口部１２から濾過筒８内に投入すると、含水原料はスクリュ羽根６によって搬送される際に生ずる抵抗により機械的な脱水作用を受ける。つまり、スクリュ軸５、スクリュ羽根６、濾過筒８で囲まれた空間部の体積は、出口部１３側に進むにつれ徐々に減少されるために、原料はその進行に伴い圧搾されて水分が分離され、分離した水分は濾過筒８の濾過孔から搾液受皿１４に漏出する。
【００１３】
このようにして、出口部１３に到達した脱水された原料は、出口部１３においてテーパコーン１５によって圧縮程度を調整されながら、テーパコーン１５との隙間から脱水ケーキとして排出される。
【００１４】
通常のスクリュプレスにおいては、テーパコーン１５により圧縮程度を調整しても、この端末における調整だけでは十分でないことがあり、本実施例ではスクリュ羽根６に切欠部６ａを設けて、原料の圧縮を助長している。
【００１５】
脱水過程において、スクリュ羽根６に設けた切欠部６ａにおいては、原料の搬送が一時的に停滞する。つまり、この切欠部６ａはポケットとなって原料が滞留し、この原料は後方から押し込まれる原料によって、前方からの圧力に打ち勝たなければ前方に進むことはない。
【００１６】
従って、この切欠部６ａにおいて原料の圧力は高められ、濾過筒８の濾過孔からの漏水が、他の部分の濾過孔よりも多くなされ、全体的な脱水効率が向上する。この切欠部６ａの存在により、脱水効率が高まった分だけ、従来装置よりもスクリュプレスの全長を短くしたり、濾過筒８の径を小さくできる。
【００１７】
実施例においては、切欠部６ａを１個所に設けたが、１個所に限ることはなく複数個所であってもよい。また、スクリュ羽根６の切欠部６ａの切欠すべきピッチ分は任意でよい。更に、切欠部６ａの切欠は任意の形状とすることができる。
【図面の簡単な説明】
【００１８】
【図１】実施例のスクリュプレスの縦断面図である。
【符号の説明】
【００１９】
５  スクリュ軸
６  スクリュ羽根
６ａ  切欠部
８  濾過筒
１０、１１  側板
１２  入口部
１３  出口部
１５  テーパコーン
【図１】
2009142875.tif 000003
(57)【要約】【課題】血流を良くして血液をきれいにし、その上で肝機能を活発化させ、より肝臓の細胞が活性化し、増殖作用を促す健康食品を提供する。【解決手段】葛花、メナモミ、及びくちなしの果実の粉末の混合割合を、１対１対０．２としてこれらを混合した葛花健康食品とし、これを服用することにより、肝機能の向上や増殖、血栓を予防し、血流をきれいにでき、体の隅々まできれいな血液が行き渡ることが出来る。また、この食品は液状、粉末状、顆粒状、錠剤状又はカプセル状、ブロック状の一つから構成する。【選択図】        なし【特許請求の範囲】
【請求項１】
葛花とメナモミの粉末を混合させて成ることを特徴とする、葛花健康食品。
【請求項２】
葛花とメナモミの粉末を主成分とし、これに緩下剤の粉末を加えて混合させて成る、葛花健康食品。
【請求項３】
前記葛花、メナモミ、及び緩下剤の粉末の混合割合を、１対１対０．２としたことを特徴とする、請求項２に記載の葛花健康食品。
【請求項４】
前記緩下剤がくちなしの果実であることを特徴とする、請求項２又は３に記載の葛花健康食品。
【請求項５】
前記葛花健康食品は、液状、粉末状、顆粒状、錠剤状又はカプセル状、ブロック状の一つから成ることを特徴とする、請求項１、２、３又は４のいずれかに記載の葛花健康食品。
【発明の詳細な説明】
【技術分野】
【０００１】
この発明は、葛の花及びメナモミを主成分とした健康食品であり、肝機能を高めて、酒毒、諸毒、血便等を解消させる働きがあるとともに血液をきれいにして血行を良くする健康食品に関するものである。
【背景技術】
【０００２】
葛は従来からくず粉として知られているが、他に、生根の絞り汁は食中毒や薬の中毒、酒を飲んで吐血する場合に、飲めば効果がある。また、青葉の絞り汁は糖尿病に効くとされ、乾燥させた根は葛根湯として知られるように発汗、解熱、鎮痛、緩和、清涼剤としてかぜなどに効果がある。さらに、乾燥させた花は、水に入れてこれを煮詰めてこれを適宜飲むと、二日酔いやその他の酒毒、諸毒、下痢便等に効く、とされている。
【０００３】
これらの中でも、特に、日本産の葛の花にはイソフラボンやトリテルペノイド型サポニン等の成分が含有しており、これにより肝細胞を活性化させたり、増殖させたりする働きがあり、肝機能が良好になり、肝硬変を抑えることもできる。
【０００４】
また、メナモミはきれん丸として、脳卒中の予防や後遺症の改善、動脈硬化予防に効果があるとして服用されており、血流を良くし、血栓を防ぎ、血液をきれいにする働きがある。
【０００５】
しかしながら、前記葛の花は水に入れてこれを煮詰めたものを作り、これを飲むため手間がかかる。また、前記メナモミは、乾燥させた葉を壷に入れ、その上に日本酒、蜂蜜を適量かけ、さらにその上に葉を入れ、これを七重、八重に交互に繰り返しておき、数日後に醗酵が終わりかけたら、葉を壷から取り出し、乾燥させ、再び前記と同じ方法で、醗酵させる。これを９回繰り返し、最後に乾燥させて粉末にし、蜂蜜で練り固めて、きれん丸なる丸薬を作っており、これも、極めて手間のかかるものである。
【０００６】
また、葛粉を用いた健康食品は例えば、特許文献1があるが、これは蓮根湯エキスを主体とした、咳、風邪などの呼吸器系のトラブルに対して薬効を有する健康食品の提供を目的としたものであり、肝臓の増殖、活性化を目的として葛花を用いた健康食品は見当たらない。
【特許文献１】特開２００５−１１７９０４号
【発明の開示】
【発明が解決しようとする課題】
【０００７】
この発明はこのような従来技術を考慮して為されたもので、血流を良くして血液をきれいにし、その上で肝機能を活発化させ、より肝臓の細胞が活性化し、増殖作用を促す健康食品を提供し、上記課題を解決しようとするものである。
【課題を解決するための手段】
【０００８】
そこで、請求項１の発明は、葛花とメナモミの粉末を混合させて成る、葛花健康食品とした。また、請求項２の発明は、葛花とメナモミの粉末を主成分とし、これに緩下剤の粉末を加えて混合させて成る、葛花健康食品とした。
【０００９】
また、請求項３の発明は、請求項２の発明において、前記葛花、メナモミ、及び緩下剤の粉末の混合割合を、１対１対０．２とした、葛花健康食品とした。
【００１０】
請求項４の発明は、請求項２又は３の発明において、前記緩下剤がくちなしの果実である、葛花健康食品とした。
【００１１】
請求項５の発明は、請求項１、２、３又は４のいずれかに記載の発明において、前記葛花健康食品は、液状、粉末状、顆粒状、錠剤状又はカプセル状、ブロック状の一つから成るものとした。
【発明の効果】
【００１２】
葛花は健康な肝臓細胞の増殖に役立つ。また、メナモミは血栓を防ぎ、血流を改善する。そして、請求項１~４の発明のように、葛花の粉末とメナモミの粉末を混合したものを服用すれば、メナモミの成分によって血液がきれいになり、これにより、肝臓もきれいになり、かつ、葛花の成分が肝臓を増殖させ、また、きれいで活性化した肝臓が血液をきれいにする。きれいな血液にするだけでは、血栓などがあれば体全体にきれいな血液が行き渡りにくい。しかし、メナモミが含有しているため血栓が生ぜず、体全体の隅々まできれいな血液を送ることが出来る。従って、相乗的に肝機能が高まる。
【００１３】
また、請求項２〜５の発明では、緩下剤を含有しているため、前記葛花及びメナモミの効果が増強する。従って、くちなしの果実の粉末等の緩下剤を加えることで、少量の服用でも強い効果を発揮する。また、この発明では粉末にしているため、保存しやすく、必要時にすぐに服用できる。また、請求項５の発明では、この粉末を基にして、種々の態様にするため、より保存、服用が容易となる。
【発明を実施するための最良の形態】
【００１４】
この発明は、前記葛花、メナモミ、及びくちなしの果実の粉末の混合割合を、１対１対０．２としてこれらを混合した葛花健康食品とし、これにより、肝機能の向上や血流をきれいにでき、体の隅々まできれいな血液が行き渡ることが出来る健康食品とした。
【実施例１】
【００１５】
以下、この発明の実施例を説明する。
まず、葛花を採集する。花は、開花の花弁、おしべ、めしべ、がく等を含む花全体を採集する。そしてこれらを天日乾燥又は火力乾燥する。その後粉砕機で粉末にする。また、メナモミは、葉を主体として柔らかい枝、花、果実を含むが、これを採集して天日、又は火力乾燥させ、これを粉砕器で粉砕して粉末にする。また、くちなしの果実を採集し、天日乾燥又は火力乾燥後、粉砕器で粉末にする。
これらの葛花、メナモミ及びくちなしの果実は、前記火力乾燥の際、多少焙煎する場合もある。
【００１６】
そして、前記葛花の粉末、メナモミの粉末およびくちなしの果実の粉末を１対１対０．２の割合で混ぜ、適宜量をカプセルに入れる。
【００１７】
なお、上記実施例では、緩下剤としてくちなしの果実を加えているが、くちなしの果実に限るものではない。さらに、緩下剤は必ずしも付加する必要がない。葛花及びメナモミの粉末を混合したものでも良い。また、この発明は上述のように一端粉末にし、その後、錠剤状、カプセル状、液状、ブロック状に加工する場合もある。
(57)【要約】【課題】本発明は、上記手段では植栽植物の根はマットフレームの壁面を越えて延伸することができない。植栽植物の根が自由に伸びられる空間を与える屋上緑化などに適応可能な植物育成構造の提案にある。【解決手段】前後左右に接続可能な区画枠体ブロックであって、各区画壁は互いに連通可能な開口部が設けられており、当該区画枠体ブロックを１ないし複数個を左右に連結した連結区画枠体ブロックの区画内に培養土を充填した植物育成用プランターと当該プランターの下部に吸水シートを敷設し、前記プランターを支持台と、支持台の下に敷設した非透水シートからなり、前記支持台は、突部と凹部からなり突部にてプランターを支持し、凹部に水を貯める植物育成構造である。【選択図】図1
2009142155.tif 000002
【特許請求の範囲】
【請求項１】
前後左右に接続可能な区画枠体ブロックであって、各区画壁は互いに連通可能な開口部が設けられており、当該区画枠体ブロックを１ないし複数個を左右に連結した連結区画枠体ブロックの区画内に培養土を充填した植物育成用プランターと当該プランターの下部に敷設した透水シートと、前記プランターの支持台とからなり、前記支持台は、突部と凹部からなり突部にてプランターを支持し、凹部に水を貯める植物育成構造。
【発明の詳細な説明】
【技術分野】
【０００１】
本発明は、屋上緑化などに使用可能な植物育成構造である。
【背景技術】
【０００２】
ビルの屋上、テラス、ベランダのような平面に植物を植栽する場合には、防水層及び防根層を形成し又はシートを敷き、その上に土壌を盛って、芝生などの地被植物、草木、野菜等を植栽していた。
しかし、上記のように土壌を敷設すると、敷設面にかかる荷重は多大なものとなり、防水層等の設備も必要となる。そのため、既存の建物には適用が難しく、新建築物にはコスト負担が大きい。
又植栽工事中に、不慮の事故として敷設面、防水層に損傷を生じた場合には、漏水防止のために植栽植物や土壌を撤去し、防水層を補修する必要がある。
そのため、特開2007-54075には複数の貯水槽に区画され、該区画する区画壁の上端に通水凹部を設け、各貯水槽間で通水可能とされた貯水槽上に底部に開口部を有する植栽部を設け、植栽部中に土壌の流出を防ぐフィルターと植物育成材を挿入し、貯水槽中の水を毛管現象により植物育成材に供給する手段が開示されている。この植栽部は複数のセルを連結してセル内にフィルターと植物育成材としたマットフレームを各貯水槽内に挿入されている。
【０００３】
【特許文献１】特開2007-54075
【発明の開示】
【発明が解決しようとする課題】
【０００４】
本発明は、上記手段では植栽植物の根はマットフレームの壁面を越えて延伸することができない。植栽植物の根が自由に伸びられる空間を与える屋上緑化などに適応可能な植物育成構造の提案にある。
【課題を解決するための手段】
【０００５】
本発明は、前後左右に接続可能な区画枠体ブロックであって、各区画壁は互いに連通可能な開口部が設けられており、当該区画枠体ブロックを１ないし複数個を左右に連結した連結区画枠体ブロックの区画内に培養土を充填した植物育成用プランターと当該プランターの下部に敷設した吸水シートと、前記プランターの支持台と、前記支持台は、突部と凹部からなり突部にてプランターを支持し、凹部に水を貯める植物育成構造である。植物の根が前後左右に長く成長できるよう区画枠体ブロックの区画壁に連通可能な開口部を設けた。根が空気に触れられるよう区画枠体ブロックの下部に透水シートを介して突部と凹部からなる支持台に空気層を設けた。
【発明の効果】
【０００６】
本発明は、連結可能な区画枠体の各壁面に開口部を設けたため植物の根が各区画枠体ブロックの範囲を超えて伸張することができる。突部と凹部からなる支持台上に配設したことで根が空気に触れることができる。
【発明を実施するための最良の形態】
【０００７】
以下本第発明を図により詳細に説明する。
図1は、本発明を示す概念図である。
本発明はブロックを左右に連接して並べ、ブロックの底に透水性シートを敷設して土壌の流出を防ぎ、支持台上に載置したものである。
【０００８】
図２はブロックの概念図を示す。
区画枠体ブロックは１ないし複数の区画に区切られ、各区画の壁面には互いに連通する開口部が設けられている。図ではその開口部は底部から上部に向かう切り欠きとなっている。区画枠体を横方向に連結した連結区画枠体は区画壁に設けた設けた開口部により、充填した土壌は全体につながることになる。
図２ａは各区画壁に切り欠きである開口部を設けた区画枠体ブロックを示してある。平面図はB-B’線で切った断面を示している。断面図はA-A’線で切った断面を示している。
図２ｂではさらに各区画の中央に底面に穴を開けた円筒を底面から立ち上げ、区画内に土壌を保持しやすくした区画枠体ブロックを示している。平面図はD-D’線で切った断面を示し、断面図はC-C’線で切った断面を示している。
【０００９】
図３は支持台の概念図である。
凹部には水が溜まるよう止水してある。必要に応じて支持台の下に非透水性のシートを敷設することもできる。図では、支持台は突部を飛び飛びに並べ突部と凹部を構成しているが、突部を台形状に長く延ばし、台形状突部を平行に並べることでもよい。凹部に溜まった過剰の水は図に示した支持台においては端部の縁の頂部に溝を設けて排出することができる。台形状突部においては突部の側面に設けた穴から台形内に導き流出させることができる。
【００１０】
図４は植物育成構造にて育てた植物の概念図である。植物の根はブロック底面の透水性シートを貫通して下部の支持台の凹部に存在する空間に達し、空気に触れると同時に凹部に溜まった水分を吸水する。本植物育成構造では植物は各区画壁の開口部を通過して区画枠体部ロックの範囲を超えて他の区画枠体にまで左右に広がって成長することができる。
【図面の簡単な説明】
【００１１】
【図１】本発明の植物育成構造の概念図を示す。
【図２】植物育成構造を構成するブロックの概念図を示す。
【図３】支持台の概念図を示す。
【図４】植物育成構造で育った植物の根を示す概念図である。
【符号の説明】
【００１２】
１    植物育成保護構造
２    区画枠体ブロック
２１  区画壁
２２  開口部
３  支持台
４  透水シート
５  遮水シート
【図１】
2009142155.tif 000003
【図２】
2009142155.tif 000004
【図３】
2009142155.tif 000005
【図４】
2009142155.tif 000006
(57)【要約】【課題】本発明は、屋上緑化などのための移植用樹木の提供にある。【解決手段】本発明は、移植用の樹木とその培地であって、移植用の樹木は苗あるいは挿し木から始め、培地は、上下左右に連結可能とされた区画ブロックであって、当該区画ブロックの隔壁には樹木の根が貫入する透孔が設けられ、移植用の樹木の成長に従い、ブロックの数を増やした連結区画ブロックに土壌を保持させた移植用樹木と培地である。移植の事前手段としての根切りなどをすることなく樹木を移植できるよう連結して必要な大きさとなるブロックを移植用培地として苗木から育てるようにした。【選択図】図1
2009142154.tif 000002
【特許請求の範囲】
【請求項１】
移植用の樹木とその培地であって、移植用の樹木は苗あるいは挿し木から始め、培地は、上下左右に連結可能とされた区画ブロックであって、当該区画ブロックの隔壁には樹木の根が貫入する透孔が設けられ、移植用の樹木の成長に従い、ブロックの数を増やした連結区画ブロックに土壌を保持させた移植用樹木と培地。
【発明の詳細な説明】
【技術分野】
【０００１】
本発明は、樹木の移植用技術である。
【背景技術】
【０００２】
樹木の移植は、移植すべき木の根切りをし、細根の発生後、掬い上げ、搬送移植するのが普通である。
樹木の掬い上げ方法としては特開2005-287351には、移植すべき樹木の両側の土壌にバケットを差し込むと共に、その両側のバケットの先端を樹木の根部の下方に位置するように回動させて閉じ、その状態でバケットを上昇させて樹木を土壌ごと掬い上げる際に、移植用樹木をバケットの一側に略下向きに押し付けてバケット上で樹木が起立するように保持しながら掬い上げる方法が開示されている。
又樹木の搬送に当たっては、特開平11-243794には、樹木の搬送中に根の間の土が落ちないよう、樹木の根回りに、土材と、繊維材と、硬化剤と、水とを混合した調合液を吹き付け、又は樹木の周囲の土中に多数の円錐状に並ぶ傾斜穴を開け、その傾斜穴に調合液を注入して移植用根鉢を形成する方法が開示されている。
樹木の根をいためることなく掬い上げ移送する方法がなかった。
【０００３】
【特許文献１】特開2005-287351
【特許文献２】特開平11-243794
【発明の開示】
【発明が解決しようとする課題】
【０００４】
本発明は、移植用樹木をその根を傷めることなく掬い上げ移送する方法の提供にある。
【課題を解決するための手段】
【０００５】
本発明は、移植用の樹木とその培地であって、移植用の樹木は苗あるいは挿し木から始め、培地は、上下左右に連結可能とされた区画ブロックであって、当該区画ブロックの隔壁には樹木の根が貫入する透孔が設けられ、移植用の樹木の成長に従い、ブロックの数を増やした連結区画ブロックに土壌を保持させた移植用樹木と培地である。移植の事前手段としての根切りなどをすることなく樹木を移植できるよう、連結して必要な大きさとなるブロックを適宜樹木の成長に合わせて増加し移植用培地として苗木から育てるようにした。
【発明の効果】
【０００６】
本発明は、苗木から育てた樹木を、ブロックを使用することで成長に合わせて適切な大きさの培地として育てるため、移植の際根切りを必要とせず、移植後の成長が阻害されない。
【発明を実施するための最良の形態】
【０００７】
以下本第発明を図により詳細に説明する。
図1は、本移植用の樹木の概念図である。
図に示すように、移植用の樹木は、連結された区画ブロック上に育てられたものである。
最初は種、小さな苗木あるいは挿し木などから始め、移植用樹木の成長に合わせブロックの数を上下あるいは左右に連結して増やし、移植に適当な大きさまで育てるものである。連結されたブロックと移植用の樹木が一体となって屋上その他の場所に運搬移植される。移植場所に置くだけでそのまま必要な緑が提供できるものである。
【０００８】
図２は必要とするブロックの概念図である。
ブロックは平面上から見て蜂の巣状に区画され、各区画壁は植物の根が隣接する区画内に陥入できるよう透孔が設けられている。
図２ａ示されたブロックは矩形を配列した形状の区画ブロックであり、各区画壁にはその端部底部から上方に向かって切り込み状の透孔が設けられている。
図２ｂに示されたブロックは矩形を配列した形状の区画ブロックであり、各区画壁にはその端部底部から上方に向かって切り込み状の透孔が設けられ、中央に残された壁面が円筒を支えて土壌を保持しやすくしている。円筒は必要に応じて孔の空いた底板を設けることができる。
【０００９】
ブロックへの樹木の植え込みは、ブロックの区画内に直接樹木の種、苗あるいは挿し木して根付かせ、成長に従いブロックを連結していく。
ある程度育った樹木の場合はブロック上に置いて、ブロックに土盛りしてブロック内に根が成長していくようにする。
いずれの場合にも連結されたブロックは、樹木の移植時に適切な土壌を保持し、移植用の樹木は根切りなどすることなく移植できるものである。
【００１０】
図３は移植用樹木の成長に合わせてブロックを増加させていく状態を示している。連結方法は各ブロックの壁面に設けた雄雌継ぎ手でよく、従来の技術が利用できる。移植用樹木の根がブロック内に進入していくので、ブロック内の土壌およびブロックは、移植用樹木の根によって保持され、移送運搬時に土壌が脱離しあるいは連結したブロックがばらばらに放れることがない。
【図面の簡単な説明】
【００１１】
【図１】本発明の移植用樹木を示す概念図である。
【図２】移植用樹木に使用するブロックの概念図である。
【図３】ブロックを連結した状態を示す概念図である。
【符号の説明】
【００１２】
１  移植用樹木
２  ブロック
３  ブロックに設けた透孔
４  ブロック区画内の円筒
【図１】
2009142154.tif 000003
【図２】
2009142154.tif 000004
【図３】
2009142154.tif 000005
(57)【要約】【課題】  従来の電気モーターは、大型化が難しいという問題があった。これは、モーターの動力に磁石を用いるフレミングの左手の法則を使うためである。【解決手段】  電気エネルギーを動力に変える力にフレミングの左手の法則を利用するのではなく、電磁コイル内部に発生する磁力の吸引効果を利用した電磁ピストンを用いる。これにより簡易的な大型化が可能であり、また電気エネルギーを効率的に使うことができる。【選択図】図１
2009142138.tif 000002
【特許請求の範囲】
【請求項１】
電磁コイルの特殊性質を利用した動力機関
【発明の詳細な説明】
【技術分野】
【０００１】  本発明は、電気エネルギーの効率的運用を図った動力機関に関する。
【背景技術】
【０００２】  従来、電気エネルギーを利用した動力機関には、モーターがある。【０００３】  モーターとは、二つの磁石の間の回転軸に長方形のコイルを置き、回転によってコイルに流れる電極の＋と−が交互に入れ替わる装置を取り付けて電流を流すとコイルに流れる電流が磁場の影響受けてコイルが回り、回転運動を起こす動力機関である。
【発明の開示】
【発明が解決しようとする課題】
【０００４】  以上に述べた従来のモーターでは、磁石を使うため大型が難しく、又回転に磁力線と磁石を利用するためエネルギー効率が悪い。【０００５】  本発明はこれらの欠点を持たない、電気エネルギーを利用した新しい動力機関の実現を目的にしたものである。
【課題を解決するための手段】
【０００６】  そして、本発明は上記目的を達成するために、プラスチック筒にエナメル線を複数回巻いたコイルとその中に入るコイルと同じ長さの鉄製ピストン数セットとそれと連動するクランクシャフトとを設け、全ての鉄製ピストンはつながっているクランクシャフトの回転によってコイルの中をピストン全体の３分の２か２分の１ぐらいを出たり入ったりする位置に順番に置き、全てのコイルにはそれぞれの鉄製のピストンがクランクの回転でコイルの中からピストンが全体の３分の２か２分の１ぐらいが外に出た時から全体がコイルに入る時までの間だけ電流が流れるようにする。【０００７】  上記の課題解決手段による作用は次の通りである。すなわち、コイルに電流を流すとコイル内に磁力による吸引力が発生し、鉄製ピストンがつぎつぎとコイル内に吸い込まれるように動き、その力がクランクシャフトに伝わりシャフトが回転しエネルギーを発生させる。この装置は磁石を用いないため大型化が容易でありまた回転に磁石と磁力線の関係を利用するのではないため電気エネルギーを効率的に消費するという効果を発揮する。【０００８】  なお、本発明に用いる電磁コイルの吸引効果とは、電磁コイルに電流を流すとコイル中に特殊な磁力が発生し鉄製の物などを中心までコイルの中心に引き込む現象である。
【発明の効果】
【０００９】  上述したように本発明の吸磁力機関は、電気エネルギーを効率的に利用するとともに、容易な大型化が可能な動力機関である。【００１０】  また、ガソリンなどの燃料を使用しないため、排気ガスの噴出や爆発などの危険もなくクリーンで安全な力を発揮するものである。【００１１】  また、モーターよりも構造が単純なため、制作が容易である。
【発明を実施するための最良の形態】
【００１２】  以下、本発明の実施の形態を１図〜４図に基づいて説明する。【００１３】  図において、１はコイルで、２は鉄製ピストン、３はクランクシャフト、４はクランク台、５はコンロッド、６から９はエナメル線、１０はコミュテーター、１１から１４はブラシ、１５は台座である。【００１４】  １のコイルはプラスッチック筒にエナメル線を何回も巻いたものである。【００１５】  １のコイルと２の鉄製ピストンは同じ長さ。【００１６】  １ａと１ｂと１ｃは同じ物で出来ている。【００１７】  ２ａと２ｂと２ｃは同じ物で出来ている。【００１８】  ９ａと９ｂと９ｃは途中で三本がつながり９になる。【００１９】  １０のコミュテーターは絶縁体の筒にＴ時型の銅板を巻きつけた物。【００２０】  １０のコミュテーターの銅板はＴ時型の長い方は筒を一周する長さにし、短い方は筒一周の長さの３分の１長さにする。【００２１】  １１から１３のブラシは、１０のコミュテーターのＴ時型銅板の短い方の付いている部分の筒に、三枚のブラシを筒の一周の３分の１ずつの所にブラシの先端が付くように順番に配置する。【００２２】  １４のブラシは、１０のコミュテーターのＴ時型銅板の長い方の付いている部分の筒にブラシの先端が付くように配置する。【００２３】  ２ａ、２ｂ、２ｃの鉄製ピストンは３のクランクシャフトの回転でピストン全体の３分の２がコイル中を出たり入ったりする位置に順番にセットする。【００２４】  １０のコミュテーターは、３のクランクシャフトの回転でそれぞれのコイルに対応するクランクアームが頂点を０度としコイル側に向かって回転が始まるとして、それぞれのクランクアームが一周の３３０度から９０度の間に来ている時にだけ電流が流れる様にコミュテーターを調整する。【００２５】  電圧は３０Ｖ以上あるのが望ましい。【００２６】  以下、上記構成の動作を説明する。９のエナメル線に電流を流すと１ａコイル内に磁力による吸引力が発生し２ａ鉄製ピストンを内部に引き込む、この時発生した力はクランクアームに伝わりクランクシャフトが回り、そしてクランクアームが真横に来ると連動するコミュテーターの作用で電流は１ｂコイルに切り替わる、そして１ａと同じ事が１ｂでも起きさらに１ｃにも伝わる、この力は連続してクランクシャフトに伝わり回転エネルギーが発生する。
【図面の簡単な説明】
【００２７】
【図１】  本発明の実施形態を示す吸磁力機関の部分断面図
【図２】  同吸磁力機関を真上から見た外観図
【図３】  同吸磁力機関を横から見た外観図
【図４】  コミュテーターのみを前から見た外観図
【符号説明】
【００２８】１ａ、１ｂ、１ｃ  電磁コイル
２ａ、２ｂ、２ｃ  鉄製ピストン
【図１】
2009142138.tif 000003
【図２】
2009142138.tif 000004
【図３】
2009142138.tif 000005
【図４】
2009142138.tif 000006
(57)【要約】      （修正有）【課題】化石エネルギーに替わるエネルギーであって、交流に変換する変換ロスがなく、直流のまま利用できる、電気エネルギーの発生方法を提供する。【解決手段】太陽光発電で発生する電力は直流であり、得られた電力をそのままバッテリーに蓄電する。この直流電源であるバッテリーから、交流を直流に変換する必要がない電気製品に電力を供給することができるので、電気製品はＡ／Ｄコンバータは不要となり、コンパクトな形態となり、さらに安価な製品とすることができる。【選択図】なし【特許請求の範囲】
【請求項１】
太陽光発電の電力は直流であるので交流に変換することなく直接直流にて使用すること
【請求項２】
小型の水力発電によって、電力を使用する場所で発電することで送電ロスを少なくする方法
【発明の詳細な説明】
【背景技術】
【０００１】従来の電力の利用法は電力を利用しはじめた時の方法で体系ずけられているために送電を中心にしているために非常に送電ロスが多いものになっている。化石エネルギーの枯渇が心配されているのでエネルギーの有効利用が必須のことになっている。
【発明が解決する課題】
【０００２】本発明は上記問題に関して鋭意研究を行った結果次の知見を得た。
請求項１に対しては現在利用されている電力のうちコンピューターやオーデオ製品は直流であるので太陽光発電で発生する電力は直流であり、そのまま交流に変換することなく直接利用すれば直流を交流に変換ロスもなく、また、交流を更に直流に変換して利用することでも変換ロスが発生するので非常にエネルギーを無駄に利用していることになるので、各家庭でのこの種の電力の利用には太陽光発電で得られた電力をバッテリーで蓄電しておいて直接利用したほうがエネルギーの無駄がない。更に、このエネルギーを使う電気機器には交流を直流に変換する必要が無いのでコンパクトな小型の製品になることが予想されて安価な製品になる。
【０００３】請求項２に対してはわが国では水が豊富であり、外国人によると川が滝のようであると言われる位であり水力によってエネルギーを利用した方が有利である従来から水力発電はあるのですが商業電力としている為に大規模なダムが必要でかえって公害を引き起こす結果になっているがわが国で古くから利用されているように水車の動力を電気に変換して使用する場所で発電する小型の水力発電にすれば送電ロスがない有効なエネルギーの利用になる。
(57)【要約】      （修正有）【課題】宝石の置忘れや、紛失、汚れや傷を防ぐ為に、ヘアゴムに宝石ケースを取り付けた、ヘアゴム付宝石ケースを提供する。【解決手段】蓋付ケース１に取り付け穴２を設け、ゴム紐３を取り付け、蓋付ケース１の中に、弾力性のある、スポンジシート４はめ込んで固定したことを特徴とするヘアゴム付き宝石ケース。【選択図】図２
2009142620.tif 000002
【特許請求の範囲】
【請求項１】
（イ）蓋付ケース（１）の中にスポンジシート（４）をはめ込む。
（ロ）蓋付ケース（１）に、ゴム紐（３）を付ける。
以上の構成によりなる、ヘアゴム付き宝石ケース。
【請求項２】
二つ折りにしたスポンジシート（４）を並べて固定した蓋付ケース（１）にゴム紐（３）を取り付けたことを特徴とした請求項１記載のヘアゴム付き宝石ケース。
【請求項３】
蓋付ケース（１）の底に、取り付け穴（２）を開けて、ゴム紐（３）を通して端を接着し、蓋付ケース（１）の中に二つ折りにしたスポンジシート（４）を固定したことを特徴とした請求項１記載のヘアゴム付き宝石ケース。
【発明の詳細な説明】
【技術分野】
【０００１】    本発明は、蓋付ケースの中に弾力性のあるスポンジシートを固定した宝石ケースに、ゴム紐を付けた、ヘアゴム付き宝石ケースに関するものである。
【背景技術】
【０００２】  従来、宝石箱や宝石ケースとヘアゴムは別々になっていた。
【発明の開示】
【発明が解決しようとする課題】
【０００３】  従来の宝石箱や宝石ケースは、大きく重く携帯できないため、宝石を長時間使用しないた場合に、水に濡れたり、汚れたりすることもあり、また紛失する場合もある。
以上のような欠点を失くすためになされたものである。
【課題を解決するための手段】
【０００４】  蓋付ケース（１）に取り付け穴（２）を設け、ゴム紐（３）を通して取り付ける。蓋付ケース（１）の中に、弾力性のある、スポンジシート（４）を折り曲げたものを、数個固定する。
本発明は、以上の構成によりなる、ヘアゴム付き宝石ケースである。
【発明の効果】
【０００５】  宝石を短時間はずす際に、ヘアゴムに取り付けた宝石ケースに宝石を収納して、髪に携帯することができるので、置き忘れた宝石を探す手間が省ける。宝石ケースに収納し蓋をすることにより、汚れを防ぐことができ、スポンジシートにはさむことにより、宝石同士がぶつかり合って傷つけることを防ぐことができる。宝石ケースの形や模様を変えれば、宝石箱自体ファッション性が生まれる。
【発明を実施するための最良の形態】
【０００６】  蓋付ケース（１）に取り付け穴（２）を設けて、ゴム紐（３）を通して取り付ける。
蓋付ケース（１）の中に、二つ折りにした、スポンジシート（４）を固定する。
本発明は、以上の構成で、ヘアゴムを取り付けた宝石ケースに宝石を収納し、蓋を閉じた後、髪に留めてもいいし、腕にはめても、フックにかけてもいい。
【図面の簡単な説明】
【０００７】
【図１】    本発明の斜視図である。
【図２】    本発明の分解斜視図である。
【符号の説明】
【０００８】    １  蓋付ケース
２  取り付け穴
３  ゴム紐
４  スポンジシート
【図１】
2009142620.tif 000003
【図２】
2009142620.tif 000004